(57)【要約】【課題】  直線状中心縦骨と円弧状横骨とが交差する。直線状中心縦骨の上部側で中央部が交差する円弧状横骨と、直線状中心縦骨の上端と、円弧状横骨の中央点から等距離にある位置とを連結する略三角形骨を備えた凧を提供する。【解決手段】  本凧は直線状中心縦骨と円弧状横骨とが交差連結させた地点から上部側を略三角形の硬質骨又は、プラスチック糸を使うこととした。それによって、凧紙を貼る時の簡素化と美化そして、上空に揚った時の安定化「静止化」を計った。【選択図】      図２
2009172364.tif 000002
【特許請求の範囲】
【請求項１】
直線状の中心縦骨と、これに交差する円弧状の横骨を有する凧において、上記直線状中心縦骨（１）の上部側で円弧状横骨（２）を交差連結させ、上記直線状中心縦骨（１）の上端と、上記円弧状横骨（２）の中心点から等距離にある位置とを略三角形骨（３）又は、プラスチック糸により連結したものであることを特徴とする凧。
【発明の詳細な説明】
【技術分野】
【０００１】
本発明は、凧の上空での安定化「静止化」に関する。
【０００２】
凧紙を貼る時の簡素化と美化に関する。
【背景技術】
【０００３】
今まで作製されていた凧は、糸を使って組み囲まれているものであった。
【特許文献１】実開昭６２−１９７３９６号  公報
【発明の開示】
【発明が解決しようとする課題】
【０００４】
糸を使って凧の先端部分を組む場合、糸を張りすぎると円弧状横骨が変形（ひずみ）を起こしてしまう。そこで、そのようなストレスを与えないために、糸がゆるみがちに組まれている。糸がゆるみがちのまま凧紙を貼って上空に揚げると先端部分が、はためき振動を起こしたり、あるいは風切り度合が一定でないために安定性「静止性」に多少の影響を与えていた。
【０００５】
糸をゆるく張った先端部分を凧紙で貼り閉じる時、糸が「ぷよんぷよん」と動くのできれいに貼るのがむずかしく、上手に貼れるようになるには少し熟練を要していた。  
【課題を解決するための手段】
【０００６】
課題を解決するため、本発明の凧は、凧の上部分を略三角形骨又は、プラスチック糸によって形成されることとする。
【発明の効果】
【０００７】
凧の先端（略三角形）部が硬質材であるため、凧紙を貼るのが簡単で、きれいに仕上げることができる。そしてまた、頑丈であるため上空に揚った時トップ部のはためき振動を止めることができ、安定性「静止性」にも貢献する。
【発明を実施するための最良の形態】
【０００８】
図１の裏正面図において、直線状中心縦骨（１）に接着させている竹台座（１１）の上に円弧状横骨（２）を結び付け略十字状を作る。結び付ける時の注意点として、絶対にきつく縛らない。きつく縛ると（２）の円弧状横骨の働きが阻害されフラップ効果を十分に引き出せない。
ゆるく結んだ形は（１３）のようになり、ミシン糸を５回巻きにしている。
【０００９】
円弧状横骨に付けている２個の突起物（１２）は円弧状横骨が左右にずれるのを防止するための物で非常に大切な部品である。突起物（１２）は約３ｍｍほどの大きさで、瞬間接着剤を用いて、左右２個接着させている。
【００１０】
円弧状横骨の端点（８）と直線状中心縦骨の底点（１０）とを、プラスチック糸を用いて張り結ぶ。張り終えた形が（４）となる。
【００１１】
略三角形骨（３）の頂点（９）を直線状中心縦骨（１）の頂点に結び付ける。
しっかりと結び終えた後は、瞬間接着剤で完全に固定させてしまう。結び終わった形が図１ｂ（１６）となる。
【００１２】
略三角形骨（３）の両端にそれぞれ４本のミシン糸を結び付ける。次に４本の糸を各２本づつに分け、共に円弧状横骨（２）に結び付ける。結んだ形が図１a（１５）となり結んだ糸口がほとけないように瞬間接着剤で固めてしまう。又、プラスチック糸を使ったときも同様で、円弧状横骨（２）と略三角形骨（３）との接点（２０）と、直線状中心縦骨の頂点とを結ぶ形になる。
【００１３】
図１（１４）で示すとおり略三角形骨（３）と円弧状横骨（２）との間に、５〜１０ｍｍのすき間を取ってあり、緩衝域となっている。この仕組が、凧全体の動きをスムーズにし、（１２）、（１３）の組み合わせとあいまって、フラップ効果を十分に引き出すようにしている。
【００１４】
円弧状横骨（２）の中で、略三角形骨（３）又は、プラスチック糸がしめる割合は、図３で示すとおり円弧状横骨（２）の中心点から片側半分を「１００」としたとき、中心点から端に向って「約５０」の位置に点をとり、その点と直線状中心縦骨（１）の頂点とを略三角形骨（３）で組み上げる形となっている。
【００１５】
略三角形骨（３）の高さを求めるには、
（直線状中心縦骨（１）の長さ＋円弧状横骨（２）の長さ）÷１０×０．９５
【００１６】
直線状中心縦骨（１）の長さを求めるには、円弧状横骨（２）の長さに「０．８３」をかける。
【００１７】
円弧状横骨（２）の長さを求めるには、直線状中心縦骨（１）の長さを「０．８３」
で割る。
【００１８】
略三角形骨（３）の作製方法は、図４で示すとおり、半乾燥竹を凸鉄型枠と凹鉄型枠の２枚で強くはさみ焼付形成する。プラスチック糸の場合は、そのままのばして使用する。
【００１９】
凧紙のカッターナイフによる切り方。のりしろはすべて１５ミリ巾です。そのほか特別にカッターナイフを入れる所があり、略三角形骨（３）と円弧状横骨（２）ののりしろ部を約３０ミリ間隔で切り込みを入れてしまう。切った形が図５の（１８）となる。
【００２０】
「のり付け」と「貼り方」。円弧状横骨（２）と略三角形骨（３）あるいは、プラスチック糸を使った略三角形の部分を貼る時は通常の方法でのりしろにのりを塗りますが、糸張り部分（４）に関しては全くちがう。糸張り部分（４）を貼る時は、まず１回折り曲げて折り曲げ線をつける。その次にのりを図６（１９）の範囲に塗った後、のりしろ部を折り曲げて貼り付ける。
【図面の簡単な説明】
【００２１】
【図１】本発明の実施形態を示す凧の裏正面図
【図２】同凧の完成正面図
【図３】同凧の比率配分図
【図４】同凧の略三角形骨の作製図
【図５】同凧ののりしろ部カット図
【図６】同凧の「のり付け」と「貼り付け」図
【符号の説明】
【００２２】
(1)    直線状中心縦骨
(2)    円弧状横骨
(3)    略三角形骨又は、プラスチック糸
(4)    プラスチック糸
(5)    凧紙                                                               
(6)    凧糸
(7)    エチレン飾り耳
(8)    円弧状横骨の端点
(9)    略三角形骨の頂点
(10)   直線状中心縦骨の底点
(11)   円弧状横骨をのせる台座
(12)   円弧状横骨の左右ズレ防止用突起「２個」
(13)   ミシン糸「５回巻」
(14)   略三角形骨と円弧状横骨との緩衝域
a(15)   略三角形骨と円弧状横骨との、とりあいミシン糸
b(16)   直線状中心縦骨の頂点と略三角形骨の頂点との結目
(17)   のりしろ
(18)   切り目
(19)   糸張り部分に関してだけの「のり付け面」
(20)   円弧状横骨と略三角形骨との接点
【図１】
2009172364.tif 000003
【図２】
2009172364.tif 000004
【図３】
2009172364.tif 000005
【図４】
2009172364.tif 000006
【図５】
2009172364.tif 000007
【図６】
2009172364.tif 000008
【手続補正書】
【提出日】平成20年12月5日(2008.12.5)
【手続補正１】
【補正対象書類名】図面
【補正対象項目名】図５
【補正方法】変更
【補正の内容】
【図５】
2009172364.tif 000009
【手続補正２】
【補正対象書類名】図面
【補正対象項目名】図６
【補正方法】変更
【補正の内容】
【図６】
2009172364.tif 000010